(57)【要約】【課題】１つの駆動源により少ない部品点数で複数の可動物を独立作動させ、動きのバリエーションを確保する。【解決手段】動力伝達装置１は、駆動側歯車２０を備える駆動源２と、駆動側歯車２０と歯合する従動側歯車３０と、区画溝３１を形成する区画壁３２を備えた従動歯車体３と、第１方向Ｘに可動する第１可動部４と、第１方向Ｘとは相違する第２方向Ｙに前記第１可動部４とは独立可動する第２可動部５と、を備えた可動体６と、歯車体移動空間Ｓと連通する開口部７（７０，７６）と、開口部７を貫通して区画壁３２（３７，３９）にそれぞれ係合する係合部８（８１，８２）と、を備え、係合部８が区画壁３２に誘導され第１可動部４と第２可動部５の可動がそれぞれ誘導され、２つの可動の中間領域にて、独立可動切換部９（９１，９２）により係合部８が規制され一方の誘導から他方の誘導に切り換られ、独立可動の切換を行う。【選択図】        図１２
2008154817.tif 000002
【特許請求の範囲】
【請求項１】
駆動側歯車を備える駆動源と、
該駆動側歯車と歯合する従動側歯車と、複数の誘導壁とを備え、歯車体移動空間を移動する従動歯車体と、
第１方向に可動する第１可動部と、前記第１方向とは相違する第２方向に可動する第２可動部と、を有し、前記２つの可動体の可動の切換動作を行う可動体と、
前記第１可動体と第２可動体のそれぞれに形成され、対応する前記誘導壁にそれぞれ係脱し、前記従動歯車体の移動に伴い、前記誘導壁に誘導されることで前記第１可動部と第２可動部とを可動させる複数の係合部と、
前記切換動作の際に前記従動歯車体の移動に伴う前記係合部の移動を強制的に規制する障壁を備える可動切換部と、
を備える遊技機の動力伝達装置。
【発明の詳細な説明】
【技術分野】
【０００１】
本発明は、駆動源となるモータによる装飾物の可動遊技を行う遊技機の動力伝達装置に関する。
【背景技術】
【０００２】
従来、駆動源と歯車等の伝達機構とを用いて、可動部に動力を伝達し、可動部の動きにより遊技の演出を行うものがある。それには概ね２つのタイプがある。
【０００３】
１つは、特許文献１〜９に示す通り、１つの駆動源で歯車等を介して複数個の可動部に相違する回転方向に回転させることで、演出等を行う構造がある。これにより視覚的効果を高め、趣向性を確保している。
【０００４】
また一方、特許文献１０〜１２に示す通り、複数個の駆動源でそれぞれ複数個の可動部を独立駆動で回転方向を相違する動きを演出させる構造がある。これにより、視覚効果を高め、趣向性を確保している。
【０００５】
【特許文献１】特開２００６−７５２１３号公報
【特許文献２】特開２００４−１２９８７５号公報
【特許文献３】特開２００６−１４２０６２号公報
【特許文献４】特開２００６−１４８３４号公報
【特許文献５】特開２００５−１１０７１５号公報
【特許文献６】特開２００４−１４１２１９号公報
【特許文献７】特開２００６−２１８０００号公報
【特許文献８】特開２００６−３３４１７９号公報
【特許文献９】特開平８−１９１９３４号公報
【特許文献１０】特開２００６−１８１０２６号公報
【特許文献１１】特開２００６−４２９０５号公報
【特許文献１２】特開２００４−２８３２３０号公報
【発明の開示】
【発明が解決しようとする課題】
【０００６】
しかしながら、前者の構造では、１つの駆動源で２つの可動物を連動させることは比較的簡単であるが、複数の可動物を独立的に動かすことは困難であり、動きの種類や運動方向等が制約されるという問題がある。また伝導機構が簡素化されたとはいえ、それでもコンパクトな動力伝達機構を実現することは至難である。遊星歯車等を使用しなければならない場合も多々あり、少ない歯車点数で複雑な動きを達成することは困難である。したがって、遊技の高度化に対応させようとすると、歯車等の部品点数の増加を抑制することが非常に困難であった。
また後者の構造では、趣向のある動きは実現できるものの、駆動源が複数個あり、動力伝達機構も複雑化するものであるので、コンパクトな動力伝達機構を実現することは至難である。
そこで、本発明は、１つの駆動源により少ない部品点数で複数の可動物を独立的に作動させ、しかも、動きのバリエーションを確保することを目的とする。
【課題を解決するための手段】
【０００７】
かかる課題に鑑み本発明はなされたものであり、駆動側歯車２０を備える駆動源２と、該駆動側歯車２０と歯合する従動側歯車３０と、複数の誘導壁３７，３９とを備え、歯車体移動空間Ｓを移動する従動歯車体３と、第１方向に可動する第１可動部４と、前記第１方向とは相違する第２方向に可動する第２可動部５と、を有し、前記２つの可動体４，５の可動の切換動作を行う可動体６と、前記第１可動体４と第２可動体５のそれぞれに形成され、対応する前記誘導壁３７，３９にそれぞれ係脱し、前記従動歯車体３の移動に伴い、前記誘導壁３７，３９に誘導されることで前記第１可動部４と第２可動部５とを可動させる複数の係合部８（８１，８２）と、前記切換動作の際に前記従動歯車体３の移動に伴う前記係合部８（８１，８２）の移動を強制的に規制する障壁９１，９２を備える可動切換部９と、を備える遊技機の動力伝達装置である。
【発明の効果】
【０００８】
本発明によれば、１つの駆動源で２つの可動物を独立的に駆動することができる。動きの種類や運動方向等が制約されないので、例えば、スライド運動と揺動運動の組み合わせ等、動きのバリエーションを豊富化する効果がある。さらに、伝導機構が簡素化され部品点数も少なく、コンパクトな構造である。
【発明を実施するための最良の形態】
【０００９】
以下に、本発明の好適な実施形態の遊技機の動力伝達装置１（以下、単に動力伝達装置１という。）について図面を参照して説明する。動力伝達装置１は、図１〜図１３に示す通り、駆動側歯車２０を備える駆動源２と、駆動側歯車２０と歯合する従動側歯車３０と、区画溝３１を形成する区画壁３２とを一体に備え駆動側歯車２０の駆動に対応してスライド方向Ｎにスライド運動する従動歯車体３と、第１方向Ｘに可動する第１可動部４と、第１方向Ｘとは相違する第２方向Ｙに前記第１可動部４とは独立して可動する第２可動部５と、を備えた可動体６と、を備えている。また、動力伝達装置１は、従動歯車体３が移動を行う領域である歯車体移動空間Ｓと連通する開口部７と、開口部７を貫通して区画壁３２に係合し、相違する区画壁３２の部分にそれぞれ誘導されることにより、第１可動部４と第２可動部５の可動をそれぞれ独立して誘導する複数の係合部８１，８２（図９参照）から構成される係合部８と、を備えている。また、２つの可動の切換動作において、係合部８の移動方向を強制的に転換し、第１可動部４と第２可動部５の独立可動の切換を生じさせる障壁９１，９２（図９参照）を備える独立可動切換部９と、を備える。以下、詳細な構造を説明する。
【００１０】
動力伝達装置１は、図１〜図５に示す通り、従動歯車体３を歯車体移動空間Ｓ（図５参照）に収容し往復運動を許容するケース１０を備えている。このケース１０は、板状のケースであって、内部に歯車体移動空間Ｓが形成されるように、上蓋１１と下蓋１２とが離脱自在に合体したものである。上蓋１１には、取付孔１３と、駆動源２用の貫通孔１４と、取付孔１３とともに下蓋１２と上蓋１２とを取り付ける取付部１５と、を備えている。下蓋１２は、従動歯車体３がスライド運動をするように案内する凸条部から構成され所定間隔で形成される複数の案内レール１６ａ〜１６ｄと、取付部１７と、駆動側歯車２０の軸孔１８と、可動体６を揺動させる中心となる揺動軸孔１９と、を備える。案内レール１６ａは同１６ｄより高く、また同１６ｄは同１６ｂ，１６ｃよりも高く設定されている（図５参照）。
【００１１】
駆動源２は、駆動側歯車２０を軸着した回転軸を有する正回転方向Ｍまたは逆回転方向に回転するモータ２１と、このモータ２１をケース１０の表面側に固定する固定具２２と、コネクタ２３と、を備えている。なお制御装置（図示略）がモータ２１の正逆回転を制御するように設定してあるが詳細は略す。ここでは一定速度の正回転と、逆回転を交互に繰り返す往復動作が設定されているが、速度、或いは、正逆回転の組合せに変化をつける等、適宜の動作を設定できるものとする。
【００１２】
従動歯車体３は板体をなした樹脂成形物であり水平方向に設置され、案内レール１６ａ〜１６ｄと平行に配置され当該案内レールに側面が嵌合し摺動するように配置されるものである。この従動歯車体３は、前記した右側の側面の上部から右側に対して突出し（案内レール１６ｄの上端より右側に突出するように配置される）上下方向に直線上に延び出す従動側歯車３０と、従動側歯車３０に隣接する表面側の領域に、所定形状に成形された区画溝３１と、区画溝３１を区画形成する区画壁３２のほか、板体の上端中央部から中心まで延設され従動歯車体３のスライドに伴い後述するボス６１が当らないようにするために形成される凹溝３３と、板体の端部で従動側歯車３０の近辺に形成される位置検出部３４と、板体の裏面に形成され、従動歯車体３の摺動の際の抵抗を低減する案内突条３５ａ〜３５ｄと、を備えている。また、区画溝３１と区画壁３２には、それらのうちの、別々の領域にそれぞれ２箇所が独立に形成された構造を含み構成されている。１つは第１係合部８１を誘導することがある第１誘導溝３６と第１誘導壁３７であり、他の１つは、後述する第２係合部８２を遊嵌し、誘導する第２誘導溝３８と、第２誘導溝３８を区画形成する第２誘導壁３９である。この第２誘導溝３８と第２誘導壁３９は、平面視では、鉤型に形成され、上部が所定方向（ここでは左上方向）に所定角度で斜めに直線状に延び出し、一方、屈曲部を介して下部は垂直に形成されている。
【００１３】
第１可動部４は、図６、図７に示す通り、第２可動部５に対して相対的に第１方向Ｘに沿ってスライドするスライダ４０と、このスライダ４０にピン４１を介して連結する装飾物取付基板４２と、キャラクタ等の装飾物が取り付けられ、装飾物取付基板４２の上に固定されるキャラクタ板４３と、スライダ４０の先端部の裏側から法線方向に突出するように形成される掛止部４４と、この掛止部４４と後述する掛止部５６とに両端部の輪部が掛着し第１方向Ｘに沿って伸縮することでスライダ４０のスライド運動に抗して弾性力でスライダ４０の動きを規制するコイルスプリング４５と、ピン４１をスライダ４０に固定する取付部４６と、スライダ４０の底面に形成されスライドの際の摺動抵抗を低減する突条４７と、コイルスプリング４５を収容する収容溝４８と、コイルスプリング４５が伸縮するための開口を備える端部４９と、を備えている。
【００１４】
第２可動部５は、揺動軸５２を中心として回動動作を行うものであり、図６及び図８に示す通り、スライダ４０の裏面に固定された第１係合部８１が遊嵌されて摺動するため上下方向に下部側に貫設された案内孔５０と、取付孔５１と、中心部の所定箇所に裏面から法線方向に突出し（図８（ｂ）紙面垂直上方）固定され第２可動部５を揺動させるため揺動軸孔１９（図５参照）を貫通しブッシュ６２に固定される揺動軸５２と、を有する下蓋５３を備えている。また、図７に示す通り、第２可動部５は、裏面側にてスライダ４０を内側領域にて案内する一対の案内レール５４と、スライダ４０を基端部（図では下端）で停止させる複数個の横方向への突条であるストッパ５５と、第１可動部４の下端の輪を掛着する掛止部５６と、前記ピン４１が遊嵌されて摺動するため上下方向に上部側に貫設された案内孔５７と、下蓋５３に取付孔５１とともに装脱可能に結合する取付部５８と、後述する装飾体６３を取り付ける取付部５８ａと、を有する上蓋５９と、備えている。
【００１５】
可動体６は、第１可動部４、第２可動部５から構成され、第１可動部が第２可動部に対して相対的にＸ方向にスライド運動するとともに、第１可動部４と第２可動部５の切換動作を行い、さらにＹ方向に一体的に揺動運動を行うものである。第１可動部４のスライダ４０は上蓋５９と下蓋５３の内部でスライドするものである。可動体６は、図５に示す通り、揺動軸５２を嵌め込むため下蓋１２の表面側に形成されるボス６１と、下蓋１２の裏面側からボス６１に嵌め込まれて揺動軸５２がねじで固定されて可動体５と一体的に自転するブッシュ６２と、上蓋５９に固定され第１可動部４を覆うように設置される装飾体６３と、を備えている。装飾体６３は樽の形状であり、図１〜図４に示す通り、第１可動部４が待避した状態では、両端面に前穴６４と後穴６５とを備え、第１可動部４の全部と第２可動部５の大部分に対して、空間を隔てて覆っている。第１可動部４が前方に突出すると前穴６４からキャラクタ板４３が突出するようにされている。
【００１６】
開口部７は第１開口７１と第２開口７２とから構成される。第１開口７０は、図５に示す通り、上蓋１１の中央部の略下方に扇形に形成され、（ここでは第２開口部７６と揺動軸孔１９の下側近辺）に形成され、第１案内部７１と、第２案内部７２と、左辺７３、上辺７４とを含み構成されている。図９に示す通り、第１案内部７１は直線の内側縁端面、第２案内部７２は円弧状の内側縁端面、左辺７３は直線の内側縁端面、上辺７４は第２案内部７２と同心円状で半径の小さな円弧状の内側縁端面である。また、第２開口７２は、後述する第２係合部８２を貫通させた状態で遊嵌させ弧状に誘導する図５に示す通りの弧状の開口である。
【００１７】
係合部８は第１係合部８１と第２係合部８２とから構成される。第１係合部８１は、図７（ｂ）に示す通り、従動歯車体３が上下にスライドしている間、これに対応して追従動作を行い、第１可動部４のスライド動作を行わせるため、スライダ４０の基部の裏側から法線方向に突出し（紙面垂直上方）固定されたピン形状のものである。第１係合部８１は、第１開口７０内の内部領域で屈曲状に揺動し又はスライドする（図９（ｂ）参照）とともに、第１誘導溝３６の領域内で揺動し又はスライドするように設定される（図１０（ｂ）参照）。第１開口７１の角部である第１障壁９１の位置が動作の切換位置であるＢ位置となるように設定されている（図９（ｂ）参照）。第１係合部８１の底面は第１誘導溝３６に接触しないように長さが設定されていてその上を移動するだけであり、また、第１誘導壁３７とは側面同士が当たるように設定してある。
【００１８】
また、第２係合部８２は、第２可動部５の揺動動作を行わせるものであり、図８（ｂ）に示す通り、揺動軸５２の近辺（左下側）に形成され下蓋５３の裏面から法線方向に突出する（図８（ｂ）紙面垂直上方）ように固定されるピン形状のものである。この第２係合部８２は、第２開口部７６の内部領域で円弧状に移動する（図９（ｂ）参照）とともに、上下及び斜めにスライドするように設定される（図１０（ｂ）参照）。第２開口７６の上部位置で切換位置である位置Ｂで停止するように設定されている（図９（ａ）参照）。第２係合部８２の底面は第２誘導溝３８に接触しないように長さが設定されていてその上を移動するだけであり、また、第２誘導壁３９とは側面同士が当たることができるように設定してある。
【００１９】
独立可動切換部９は、第１係合部８１を強制的に方向転換させるため、第１案内部７１と第２案内部７２の中間に位置する変曲点を構成する屈曲した壁部分である障壁９１と、第１係合部８２を強制的に停止させるため、第２開口７６の上部に形成された下凹の弧状の第２障壁９２とから構成されている。従動歯車体３の移動に伴う第１係合部８１の移動方向を第１障壁９１により強制的に転換するとともに、第２障壁９２で第２係合部８２を強制的に停止することにより第１可動部４のスライドと第２可動部５の揺動動作の独立的な可動の切換動作を行わせる。なお、第１案内部７１、第２案内部７２、第１障壁９１、左辺７３、上辺７４は連続して形成されている。
【００２０】
次に動力伝達装置１の動作について図９〜図１３を参照して説明する。図９及び図１０は第１係合部８１、コイルスプリング４５、第２係合部８２のＡ位置、Ｂ位置、Ｃ位置と、矢印で示す通りの軌跡を示し、図１１〜図１３は、それぞれ、装飾部６３と、モータ２１等を除外し、従動歯車体３と可動部６とケース１０の取るＡ位置、Ｂ位置、Ｃ位置、及び矢印で軌跡を示している。
【００２１】
まず、概略の動作は次の通りである。図１〜図４が初期位置とし、ここから、モータ２１の正回転方向Ｍを駆動開始すると、第２可動部５のＸ方向へのスライド移動が停止したままの状態で、可動体６がＡ位置からＢ位置までＹ方向に揺動動作する（図１１〜図１２参照）。このとき可動体４と可動体５とは一体に動作する。可動体６がＢ位置に到達すると（図１２参照）、Ｙ方向からＸ方向への切換動作を行う。このとき第１可動部４と第２可動部５の揺動動作を停止させた後、第１可動部４が停止したまま、第２可動部５がスライド移動を開始する。そして、第２可動部５をＢ位置からＣ位置までＸ方向に独立的にスライド動作させＣ位置に移動させる（図１３参照）。次に、各部の詳細な動作を説明する。なお、Ｃ位置からＡ位置への移動については、モータ２１を逆回転方向に駆動させ、従動歯車体３を下方にスライドさせ、可動体６を前記の初期位置に戻す逆動作となるので、説明は割愛する。
【００２２】
可動体６は、図１〜図４及び図１１に示す通り、Ａ位置（ここでは初期位置）にあるとする。このＡ位置において、可動部６は左斜めに傾斜した状態で停止している。このとき可動部４に対し可動部６は下端位置で停止している。位置検出部３４により、従動歯車体３が下端位置で停止している。図９及び図１０に示す通り、第１係合部８１、第２係合部８２、コイルスプリング４５がＡ位置にある。即ち、図９（ｂ）に示す通り、第１係合部８１は第１開口７０の開口の左下付近に停止し、図１０（ｂ）に示す通り、第１係合部８１は第１誘導溝３６の左上方に停止し、第１誘導壁３７の位置よりも上方に位置している。また、図９（ａ）に示す通り、第２係合部８２が第２開口部７６の下端位置に停止し、図１０（ａ）に示す通り、第２係合部８２が誘導溝３８の上部にある傾斜部分３９ａの上端部に停止している。
【００２３】
このＡ位置で可動部６が停止状態となっており、図１１に示す通り、制御装置（図示略）からの指令に従って、モータ２１が正回転方向Ｍに回転すると、駆動側歯車２０が時計方向に回転し、従動側歯車３０がこれに従動し従動歯車体３が下端位置からスライド方向Ｎ（上方）に一定速度でスライドし始め、可動部６が揺動軸５２を中心としてＹ方向（反時計方向）に揺動する。
【００２４】
前記揺動の進行過程では、第１係合部８１は揺動軸５２を中心として円運動を行うためスライダ４０が半径方向には移動せずストッパ５５で停止されたままであるので、第１可動部４は第２可動部５に対して一体的に移動はするが、第２可動部５そのものは駆動されるわけではなく、第２可動部４に対して相対的な移動はしない。図９（ｂ）に示す通り、第１係合部８１は第２案内部７２に当りながら円弧状に移動されるので、図１０（ｂ）に示す通り、第１係合部８１は第１誘導溝３６の領域内で円弧状に反時計方向に回動する。このとき、第１係合部８１と、第１誘導壁３７とは分離された状態で独立して移動する。そのため第１可動部５のスライダ４０は作動しない。また、図９（ａ）に示す通り、第２係合部８２は弧状に上方に移動するとともに、図１０（ａ）に示す通り、上方に移動する第２誘導壁３９の傾斜部分３９ａに沿って右下斜めに相対的に誘導される。このように、第１可動部４と第２可動部５が揺動軸５２を中心として一体的に揺動し、Ｂ位置に至る。図９及び図１０に示す通り、第１係合部８１、第２係合部８２、コイルスプリング４５がＢ位置にある。
【００２５】
図１２に示すＢ位置に到達すると、図９（ａ）に示す通り、第２係合部８２は第２開口部７６の上方位置の第２障壁９２に係合して移動が規制された状態となり、従動歯車体３が一定速度でスライドし続けても、可動部６の揺動は停止状態を維持することとなる。さらに、図９（ｂ）に示す通り、従動歯車体３が一定速度でスライドし続ける駆動力により、第１係合部８１は第１障壁９１で強制的に方向を転換されるように設定されている。なお、Ｂ位置でも従動歯車体３は一定速度でスライドし続けるのであり、停止するわけではない。
【００２６】
前記の係合部８の強制転換の後又は同時に、上方に一定速度でスライドしつづけている第１誘導壁３７の上側面が第１係合部８１と係合を開始する。そして、図１０（ｂ）に示す通り、第１係合部８１はＸ方向（直線的に斜め上方に移動）に、第１誘導壁３７はスライド方向Ｎ（上方）に接触を維持しながら移動する。このとき、第１係合部８１と一体構成のスライダ４０が斜め上方に移動させられるので、図９（ｃ）に示す通り、コイルスプリング４５が伸長する。このとき、コイルスプリング４５が元に戻ろうとする弾性力が作用するので、スライダ４０の動きに抗してスライダ４０を右下側に戻すように作用する。力が均衡して第１係合部８１が第１誘導壁３７の動きに追従しながらそれらの係合が維持される。第１係合部８１が第１誘導壁３７に前記の弾性力で押し付けられるので、第１係合部８１は第１誘導壁３７に接触しながら、第１誘導壁３７に対して相対的に左方向にスライドしつつ、第１係合部８１と第１誘導壁３７とが接触状態で移動することとなる。このとき、第１係合部８１は、図９（ｂ）に示す通り、第１案内部７１の内壁端面と接触しながら誘導され、Ｃ位置に向かって直線的に誘導される。
【００２７】
また一方、図１０（ｂ）に示す通り、第２誘導壁３９の直線部分３９ｂが第２係合部８２に当たらないようにその下部がスライド方向の合致するように直線状に設定されているので、停止状態の第２係合部８２が第２誘導溝３８を抵抗無く進むことができる。つまり、第２係合部８２は、第１可動部４のスライド動作には拘束されず、独立である。したがって、第１可動部４のスライドの際、第２可動部５の回動位置が固定され傾斜角度が維持されるので、第２可動部５が停止したままの状態で、第１可動部４がＸ方向に独立にスライドするのである。
【００２８】
可動部６が図１３に示すＣ位置に到達すると、図９及び図１０に示す通り、第１係合部８１、第２係合部８２、コイルスプリング４５がＣ位置とある。そして、装飾物取付基板４２とキャラクタ部４３（図５参照）がスライド４０の上方へのスライドとコイルスプリング４５の伸長動作による結果、装飾物６３の前穴６４から前方に進出し、遊技者に視認された状態となる。このＣ位置では、可動体６は斜め右下に傾斜した位置を維持している。即ち、図９（ａ）に示す通り、第２係合部８２は、第２開口部７６の第２障壁９２で停止し、また、図１０（ａ）に示す通り、第２係合部８２は、第２誘導溝３８の下方位置の途中に停止した状態となっている。また、図９（ｂ）に示す通り、第１係合部８１は第１案内部７１の上端部付近に停止し、図１０（ｂ）に示す通り、第１係合部８１は第１誘導溝３６の領域内下辺右側中央部よりの位置で第１誘導壁３７の上側面に接して停止し、図１０（ｃ）に示す通り、第２可動部５はそのコイルスプリング４５が伸長した状態で第２可動部５に対して上部の位置で停止している。なお、Ｃ位置で停止するように位置検出部３４が位置を検知するように設定されている。
【００２９】
このような動作の結果、第１係合部８１と第２係合部８２とが、それぞれ、第１誘導壁３７と第２誘導壁３９に誘導されることで第１可動部４と第２可動部５の可動がそれぞれ独立に誘導される。２つの種類の可動の切換領域において、第１係合部８１が第１障壁９１の作用で動きが転換されるとともに第１係合部８２が第２障壁９２で停止させられるので、第２方向Ｙへの誘導から第２方向Ｘへの誘導に切り換えられ、第１可動部４と第２可動部５の独立可動の切換を行うことができる。このような趣向性のある動きを、１つのモータで従動歯車体３を上下にスライドするだけで実現でき、歯車の部品点数も２個で済み、係合部８や独立可動切換部９の構成も簡素であり、従来よりも少ない部品点数で趣向性のある動きを実現できる利点がある。また、遊技者は、樽形状の装飾体６３の振り子運動の面白さと、キャラクタ板４３のキャラクタが樽の中から出たり隠れたりするスライド運動の面白さの２つの種類の運動を連続して視認できることから、趣向性を格段に高めることができる。
【００３０】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、前記実施形態では２種類の動作を切り換えたが、３種類以上の動作を切り換えるように構成することもできる。２種類の可動を連続的に可動させるようにしたが、間欠的に動作させてもよい。また複数種類の可動が完全に独立して作動してもよいし、複数の可動が重複して可動する期間を設けてもよい。可動部の切り換え動作時に第３の動作を追加するような機構を追加した構成にしてもよい。また、動力伝達装置１は遊技盤面（例えば、センター役物の枠に一体で取り付けた構成）のほか、遊技枠、上皿、下皿等にも設置できる等、適宜採択可能である。さらに、装飾体に限らず、遊技球の動きに関連し作動する役物、各種機構部等、他の用途の遊技部品の動力伝達装置として採択してもよい。
【図面の簡単な説明】
【００３１】
【図１】本発明実施形態の遊技機の動力伝達装置の斜視図である。
【図２】同装置の平面図である。
【図３】同装置の正面図である。
【図４】同装置の右側面図である。
【図５】同装置の駆動源、ケース、従動歯車体の分解斜視図である。
【図６】同装置の第１可動部及び第２可動部の分解斜視図である。
【図７】（ａ）同装置の第１可動部の下蓋及び第２可動部の表面図、（ｂ）は同裏面図である。
【図８】（ａ）同装置の第１可動部の上蓋の表面図、（ｂ）は同裏面図である。
【図９】（ａ）同装置の係合部の誘導スリットに対する動きを示す説明図、（ｂ）は同装置の係合部の開口部内での動きを示す説明図、（ｃ）はコイルスプリングの上蓋内での動きを示す説明図である。
【図１０】（ａ）同装置の係合部の第２溝部分内での動きを示す説明図、（ｂ）は係合部の第１溝部分内での動きを示す説明図である。
【図１１】同装置のＡ位置での平面図である。
【図１２】同装置のＢ位置での平面図である。
【図１３】同装置のＣ位置での平面図である。
【符号の説明】
【００３２】
１…駆動力伝達装置  １０…ケース  １１…上蓋  １２…下蓋  １３…取付孔  １４…貫通孔
１５…取付部  １６ａ〜１６ｄ…案内レール  １７…取付部  １８…軸孔  １９…揺動軸
Ｓ…歯車体移動空間  ２…駆動源  ２０…駆動側歯車  ２１…モータ  ２２…固定具
２３…コネクタ  ３…従動歯車体  ３０…従動側歯車  ３１…区画溝  ３２…区画壁
３３…凹溝  ３４…位置検出部  ３５ａ〜３５ｄ…案内突条  ３６…第１誘導溝
３７…第１誘導壁  ３８…第２誘導溝  ３９…第２誘導壁  Ｘ…第１方向
４…第１可動部  ４０…スライダ  ４１…ピン  ４２…装飾物取付基板  ４３…キャラクタ板
４４…掛止部  ４５…コイルスプリング  ４６…取付部  Ｙ…第２方向  ５…第２可動部
５０…案内孔  ５１…取付孔  ５２…揺動軸  ５３…上蓋  ５４…案内レール
５５…ストッパ  ５６…掛止部  ５７…案内孔  ５８…取付部  ５９・・・下蓋
６…可動体  ６１…ボス  ６２…ブッシュ  ６３…装飾体  ６４…前穴  ６５…後穴
７…開口部  ７０…第１開口  ７１…第１案内部  ７２…第２案内部  ７３…左辺  ７４…上辺
７６…第２開口部  ８…係合部  ８１…第２係合部  ８２…第２係合部  ９…独立可動切換部
Ｍ…正回転方向  Ｎ…スライド方向
【図１】
2008154817.tif 000003
【図２】
2008154817.tif 000004
【図３】
2008154817.tif 000005
【図４】
2008154817.tif 000006
【図５】
2008154817.tif 000007
【図６】
2008154817.tif 000008
【図７】
2008154817.tif 000009
【図８】
2008154817.tif 000010
【図９】
2008154817.tif 000011
【図１０】
2008154817.tif 000012
【図１１】
2008154817.tif 000013
【図１２】
2008154817.tif 000014
【図１３】
2008154817.tif 000015